(57)【特許請求の範囲】
【請求項１】
レーザ光伝送方向と平行な方向へ延在するスリーブ取り付け孔が穿設されると共に、レーザ光伝送方向に対し平行な方向の中途部において、一端が前記スリーブ取り付け孔に対し直交するよう連通すると共に他端が開放された孔を有するスリーブホルダと、
前記スリーブ取り付け孔のレーザ光伝送方向後方側端部に位置するよう前記スリーブホルダに設けられたスリーブ押えフランジと、
前記スリーブ取り付け孔にレーザ光伝送方向前方側から挿入可能に形成されると共に、レーザ光伝送方向と平行に形成された、光ファイバを挿通させる中空孔を有し、しかも、レーザ光伝送方向に対し平行な方向における中途部外周に当該外周部に対し凹んだ面が形成され該面はレーザ光伝送方向に対し平行な方向へ所定長さだけ延在し更にレーザ光伝送方向と平行な方向の両端においてスリーブ段部が形成された溝を有するスリーブと、
水平方向へ往復回動可能なレバーに取り付けられて前記スリーブホルダに設けた孔に挿通され且つ前記スリーブの前記凹んだ面に形成したスリーブ段部のうち、レーザ光伝送方向に対し後方となる側のスリーブ段部に係止し得るようにした係止部材と、
該係止部材がレーザ光伝送方向に対し後方となる側の前記スリーブ段部に係止するよう前記レバーを付勢する第一の弾撥体と、
前記スリーブを前記スリーブホルダを貫通するよう設けられたストップピンを介してスリーブ取り付け孔の内周面に対し押圧する第二の弾撥体と、
前記係止部材がスリーブの前記溝から離反する方向へレバーを回動させたらオンになリ、スリーブに形成した前記溝のレーザ光伝送方向後方側に対するスリーブ段部に係止するよう前記レバーが前記第一の弾撥体の弾撥力により回動したらオフになる第一のセンサと、
前記スリーブのレーザ光伝送方向後方側端部が前記スリーブ押えフランジに当接するまで前記スリーブをスリーブ取り付け孔に挿入したらオンになる第二のセンサとを備えたことを特徴とするファイバ保持装置。
【請求項２】
スリーブの外周部の頂部に平面部が形成されると共に、スリーブホルダのスリーブ取り付け孔に対するレーザ光伝送方向前方側入り口部近傍に、平面視で軸心が前記スリーブ取り付け孔の径方向へ延在すると共に、前記スリーブを前記スリーブ取り付け孔に挿入した際に外周部が前記スリーブの平面部に対向可能な水平ピンを取り付け、前記スリーブをスリーブ取り付け孔に挿入する際に、前記水平ピンにより前記スリーブが周方向へ回動しないよう当該スリーブの周方向への位置決めを行うと共に、スリーブをその挿入方向へ案内し得るよう構成した請求項１記載のファイバ保持装置。
【発明の詳細な説明】
【０００１】
【発明の属する技術分野】
本発明はファイバ保持装置に関するものである。
【０００２】
【従来の技術】
従来からレーザ発振器のレーザ光を溶接等の加工ヘッドへ伝送する際には、光ファイバが用いられているが、光ファイバは集光点が所定の位置になかったり或るいは、光軸がずれていると、レーザ光の伝送不良が生じる虞がある。そこでレーザ光の伝送不良が生じないようにするために、光ファイバはファイバ保持装置により所定の位置に正確に保持する必要があり、かかる要請に対応した従来のファイバ保持装置としては、例えば図９、１０に示すごときものがある。
【０００３】
すなわち、固定状態で配設されたホルダ取り付けブロックａには、中空円筒状のスリーブホルダｂが取り付けられており、スリーブホルダｂの中空部には、円筒状のスリーブｃが挿入されるようになっている。又、スリーブホルダｂのレーザ光伝送方向後方には、スリーブホルダｂの中空部に挿入されたスリーブｃの後端部を当接させて位置決めし得るよう、当て板ｄが取り付けられるようになっている。
【０００４】
当て板ｄには、スリーブｃのレーザ光伝送方向Ｄ略後端部近傍に形成される集光点ｆにレーザ光ｅが集光されるよう、透孔ｇが形成されており、スリーブホルダｂに嵌入されたスリーブｃは、スリーブホルダｂにその径方向へ向けて刻設した雌ねじを介し、複数の止めねじｈによりスリーブホルダｂに固設し得るようになっている。
【０００５】
スリーブｃの軸心部には、スリーブｃを軸心方向へ貫通する中空孔が穿設されており、中空孔は、レーザ光伝送方向Ｄに対し上流側から下流側へ向けて直列状に配列された最大内径の中空孔ｉ、最小内径の中空孔ｊ、中空孔ｊよりも内径の大きい中空孔ｋ、中空孔ｋよりも内径の大きい中空孔ｌ、中空孔ｌよりも内径の大きい中空孔ｍにより形成されている。
【０００６】
光ファイバｎは、中心部に設けられたコアとコアの外周を包囲するクラッドとからなるファイバ本体と、ファイバ本体の外周を被覆する樹脂製のジャケットにより形成されている。
【０００７】
而して、光ファイバｎをスリーブｃに挿入してスリーブホルダｂに固定する際には、光ファイバｎ後端部分のジャケットは剥離され、ファイバ本体の後端部は一部が露出した状態になっており、斯かる状態で光ファイバｎは、スリーブｃの中空孔に、剥離されたジャケットの後端部が中空孔ｊとｋとの段部に当接するまで挿入され、これにより光ファイバｎはスリーブｃにセットされる。
【０００８】
光ファイバｎが挿入されてセットされたスリーブｃは、スリーブホルダｂの中空孔に嵌入されて、その後端がスリーブホルダｂの後端に取り付けられている当て板ｄに当接するまで押し込まれる。又、スリーブｃが所定の状態にスリーブホルダｂに嵌入されたら、スリーブホルダｂの雌ねじに止めねじｈを螺合して締結し、スリーブｃをスリーブホルダｂに対し固定する。これにより、光ファイバｎはスリーブホルダｂに対し固定され、ファイバ本体後端は集光点ｆの部分に位置し、図示してない凸レンズにより集光点に集光されたレーザ光ｅは光ファイバｎ内を加工ヘッドに向かって伝送される。
【０００９】
【発明が解決しようとする課題】
上述のファイバ保持装置において、レーザ光の伝送不良が生じないようにするためには、光ファイバｎのレーザ光伝送方向Ｄ後端部及びその光軸は、集光点ｆに対してミクロンオーダの位置精度及び位置保持の安定性が求められている。
【００１０】
然しながら、上述のファイバ保持装置では、スリーブｃはスリーブホルダｂに挿入して止めねじｈにより固定しているだけであるため、スリーブｃの光軸方向位置が正確に位置決めされず、延いては、光ファイバｎのスリーブｃ後端部が集光点ｆからずれ、その結果レーザ光ｅの伝送を良好に行えなくなったり、光ファイバｎの後端部が熱により損傷する虞れがあるうえ、スリーブｃの挿入位置が正確か否かを検出することもできない。
【００１１】
又、光ファイバｎの光軸とスリーブｃの軸心が必ずしも同心にないうえ、スリーブホルダｂに対する位置保持を止めねじｈにより行っているため、光ファイバｎの位置を正確に再現することができず、更には、止めねじｈの螺合の具合により、締付け不良が発生することがある。
【００１２】
本発明は、斯かる実情に鑑み、光ファイバによるレーザ光の伝送を良好に行い得るようにすると共に、光ファイバのレーザ光が導入される端部に熱による損傷が生じないようにし、しかも光ファイバの交換のためにスリーブを脱着したような場合にもスリーブの挿入状態にばらつきが生じず、更にスリーブが所定の位置に挿入されたことを正確に検出し得るようにしたファイバ保持装置を提供しようとするものである。
【００１３】
【課題を解決するための手段】
本発明はのファイバ保持装置は、レーザ光伝送方向と平行な方向へ延在するスリーブ取り付け孔が穿設されると共に、レーザ光伝送方向に対し平行な方向の中途部において、一端が前記スリーブ取り付け孔に対し直交するよう連通すると共に他端が開放された孔を有するスリーブホルダと、
前記スリーブ取り付け孔のレーザ光伝送方向後方側端部に位置するよう前記スリーブホルダに設けられたスリーブ押えフランジと、
前記スリーブ取り付け孔にレーザ光伝送方向前方側から挿入可能に形成されると共に、レーザ光伝送方向と平行に形成された、光ファイバを挿通させる中空孔を有し、しかも、レーザ光伝送方向に対し平行な方向における中途部外周に当該外周部に対し凹んだ面が形成され該面はレーザ光伝送方向に対し平行な方向へ所定長さだけ延在し更にレーザ光伝送方向と平行な方向の両端においてスリーブ段部が形成された溝を有するスリーブと、
水平方向へ往復回動可能なレバーに取り付けられて前記スリーブホルダに設けた孔に挿通され且つ前記スリーブの前記凹んだ面に形成したスリーブ段部のうち、レーザ光伝送方向に対し後方となる側のスリーブ段部に係止し得るようにした係止部材と、
該係止部材がレーザ光伝送方向に対し後方となる側の前記スリーブ段部に係止するよう前記レバーを付勢する第一の弾撥体と、
前記スリーブを前記スリーブホルダを貫通するよう設けられたストップピンを介してスリーブ取り付け孔の内周面に対し押圧する第二の弾撥体と、
前記係止部材がスリーブの前記溝から離反する方向へレバーを回動させたらオンになリ、スリーブに形成した前記溝のレーザ光伝送方向後方側に対するスリーブ段部に係止するよう前記レバーが前記第一の弾撥体の弾撥力により回動したらオフになる第一のセンサと、
前記スリーブのレーザ光伝送方向後方側端部が前記スリーブ押えフランジに当接するまで前記スリーブをスリーブ取り付け孔に挿入したらオンになる第二のセンサとを備えたものである。
【００１４】
又、本発明のファイバ保持装置は、スリーブの外周部の頂部に平面部が形成されると共に、スリーブホルダのスリーブ取り付け孔に対するレーザ光伝送方向前方側入り口部近傍に、平面視で軸心が前記スリーブ取り付け孔の径方向へ延在すると共に、前記スリーブを前記スリーブ取り付け孔に挿入した際に外周部が前記スリーブの平面部に対向可能な水平ピンを取り付け、前記スリーブをスリーブ取り付け孔に挿入する際に、前記水平ピンにより前記スリーブが周方向へ回動しないよう当該スリーブの周方向への位置決めを行うと共に、スリーブをその挿入方向へ案内し得るよう構成したものである。
【００１６】
本発明においては、スリーブは案内面を案内手段に合わせたうえ、レーザ光伝送方向前方側からスリーブ取り付け孔へ、スリーブ押えフランジに当接するまで挿入される。そうすると、第一の弾撥体がレバーを回動させることにより、レバーに設けられている係止部材はスリーブの外周部に形成した溝のレーザ光伝送方向後方側におけるスリーブ段部に係止してスリーブの円周方向及び軸心方向の位置決めが行われる。又、ストップピンは第二の弾撥体により押されてスリーブをスリーブ取り付け孔内周面に押圧するため、スリーブは径方向へ位置決めされる。更に、本発明においては、スリーブが所定の状態でスリーブ取り付け孔にセットされたことは第一及び第二のセンサにより確認される。
【００１７】
本発明においては、光ファイバによるレーザ光の伝送を良好に行うことができる共に、光ファイバのレーザ光が導入される端部に熱による損傷が生じることがなく、しかも光ファイバの交換のためにスリーブを脱着するような場合にも、更にスリーブが所定の位置に挿入されたことを正確に検出できるため、スリーブの挿入状態にばらつきが生じず、高い信頼性を得ることができる。
【００１８】
【発明の実施の形態】
以下、本発明の実施の形態を図示例と共に説明する。
【００１９】
図１〜図８は本発明を実施する形態の一例であり、床面上に立設した図示してないフレームには、本発明のファイバ保持装置１のホルダ取り付けブロック２が図示してないノックピンにより位置決めされたうえ、ボルト３を介し締結されている。又、ホルダ取り付けブロック２のレーザ光伝送方向Ｄ前面には、ホルダ取り付けブロック４がボルト５を介し締結されており、ホルダ取り付けブロック４の下面には、スリーブホルダ６がノックピン７で位置決めをされたうえボルト８を介し締結されている。
【００２０】
スリーブホルダ６には、レーザ光伝送方向Ｄに対し平行になるよう、水平方向へ向けてスリーブ取り付け孔６ａが、スリーブホルダ６を貫通するよう穿設されており、スリーブホルダ６のレーザ光伝送方向Ｄ前面には、下端が僅かにスリーブ取り付け孔６ａ内へ突出するよう、軸心がレーザ光伝送方向Ｄに対し直交する方向、すなわち、平面視でスリーブ取り付け孔６ａの径方向へ延在する水平ピン１０が設けられている。
【００２１】
スリーブホルダ６のスリーブ取り付け孔６ａには、レーザ光伝送方向Ｄ前面側から挿入したスリーブ１１が嵌入されるようになっており、スリーブホルダ６のレーザ光伝送方向Ｄ後面側にスリーブ取り付け孔６ａと同心状に且つスリーブ取り付け孔６ａよりも大径となるよう穿設した孔１２には、レーザ光伝送方向Ｄ後端部が当接することによりスリーブ１１の軸心方向の位置決めを行い得るようにした中空状のスリーブ押えフランジ１３が嵌合されてスリーブホルダ６に取り付けられている。
【００２２】
スリーブ１１の上面は、スリーブ１１をスリーブ取り付け孔６ａに挿入する際にスリーブ１１が周方向へ回動しないよう、スリーブ１１の円周方向の位置を水平ピン１０により位置決めすると共に、スリーブ１１を軸線方向へ案内し得るよう、若干頂部を削られて平面状に形成された平面部が形成されており、スリーブ１１の軸心部には、スリーブ１１を軸心方向へ貫通する中空孔が穿設されている。中空孔は、レーザ光伝送方向Ｄに対し上流側から下流側へ向けて直列状に配列された最大内径の中空孔１１ａ、最小内径の中空孔１１ｂ、中空孔１１ｂよりも内径の大きい中空孔１１ｃ、中空孔１１ｃよりも内径の大きい中空孔１１ｄ、中空孔１１ｄよりも内径の大きい中空孔１１ｅにより形成されており、中空孔１１ａの内径はスリーブ押えフランジ１３の中空孔１３ａ内径と同一径に形成されている。
【００２３】
又、スリーブ押えフランジ１３のスリーブホルダ６よりもレーザ光伝送方向Ｄ後方へ向けて突出した部分の外周には、Ｖリング１４が外嵌されており、集光点１５（図６参照）は、スリーブ１１の中空孔１１ａとスリーブ押えフランジ１３の中空孔１３ａとの境界部における軸心部に位置するようになっている。
【００２４】
スリーブ１１の中空孔１１ｅ，１１ｄ，１１ｃには、外周に樹脂製のジャケットを被覆した状態の光ファイバ２１を挿通させ得るようになっており、中空孔１１ａには、ジャケットが剥離されてコアとコアの外周を包囲するクラッドとからなるファイバ本体を挿通させ得るようになっている。而して、光ファイバ２１をスリーブ１１に挿入してスリーブホルダ６に固定する際には、光ファイバ２１のレーザ光伝送方向Ｄ後端部、すなわちレーザ光の入り口部は、集光点１５に位置するようになっている。
【００２５】
スリーブホルダ６のレーザ光伝送方向Ｄ前方側一側面上下部には、同軸心上に位置するよう縦ピン１６が設けられており、縦ピン１６には水平方向へ回動可能なレバー１７が取り付けられている。レバー１７は図１、４に示すごとく、スリーブホルダ６の一側部に沿ってレーザ光伝送方向Ｄへ延在し、その一端はスリーブホルダ６のレーザ光伝送方向Ｄ後方側端部の近傍に位置し、他端はスリーブ１１のレーザ光伝送方向Ｄ前方側先端部よりも更にレーザ光伝送方向Ｄ前方まで延びている。
【００２６】
レバー１７の一端側内側部には、縦ピン１６よりレーザ光伝送方向Ｄ後方側において、スリーブホルダ６の側部に向けて突出するよう係止部材１８が固設されており、係止部材１８は、スリーブホルダ６に設けた孔６ｂに挿通されてその先端はスリーブ取り付け孔６ａ内に位置し得るようになっている。而して係止部材１８はブロック状で且つレーザ光伝送方向Ｄ前方側へ向けて厚さが薄くなるテーパ状に形成されており、そのレーザ光伝送方向Ｄ後方側端部の角部は、スリーブ１１の軸心方向中途部側部に形成した溝１１ｆにおいて、レーザ光伝送方向Ｄ後方側端部に設けたスリーブ段部１１ｇに係合し得るようになっている。
【００２７】
縦ピン１６を基準としてレバー１７のレーザ光伝送方向Ｄ後方側端部には、レバー１７の板部を貫通するよう孔１７ａが設けられ、ねじ部がスリーブホルダ６の側部に螺合された案内ピン１９はレバー１７の孔１７ａを貫通してレバー１７よりもスリーブ１１の側部外方へ突出している。又、案内ピン１９のレバー１７よりもスリーブ１１の側部外方へ突出している部分の外周には、案内ピン１９の頭部１９ａとレバー１７との間に位置するよう圧縮ばね２０が巻装されており、レバー１７に固設した係止部材１８は、圧縮ばね２０によりスリーブ１１の溝１１ｆ側に付勢されるようになっている。
【００２８】
レーザ光伝送方向Ｄ後方側においてスリーブホルダ６の下面からレバー１７側へ向けて突出させた水平支持板２２には、リミットスイッチ２３が設置されており、リミットスイッチ２３はレバー１７のレーザ光伝送方向Ｄ後方側端部に設けたストライカ２４によりオン−オフし得るようになっている。又、レーザ光伝送方向Ｄ後方側におけるスリーブホルダ６の下面に下方へ向けて垂下させた垂直支持板２５には、スリーブ１１のレーザ光伝送方向Ｄ後方側端部近傍直下部に位置するよう、リミットスイッチ２６が設置されている。
【００２９】
平面視でスリーブホルダ６のレバー１７を配置した側とは反対側の側面には、ボルト２７を介し垂直状にプランジャ取り付けプレート２８が設けられており、プランジャ取り付けプレート２８には、スリーブ１１の径方向に対し真横に位置するよう、スリーブ１１の軸心方向に対し平行な方向へ向けて所定の間隔で、ねじ孔２９が水平方向へ向けて螺設されている。而してねじ孔２９には、軸心方向へ位置調整可能なプランジャ本体３２が螺合されており、ねじ孔２９の中空部３２ａには、圧縮ばね３０及びプランジャ本体３２のスリーブ１１側先端から僅かにスリーブ１１側へ向けて突出し得るようにしたボール３１が嵌入されている（図７参照）。又、ボール３１は圧縮ばね３０によりスリーブ１１側へ付勢されるようになっている。
【００３０】
スリーブホルダ６には、ねじ孔２９と同一軸心上に位置するよう、ストップピン嵌入孔３４が穿設されており、ストップピン嵌入孔３４には、ストップピン３５が嵌入されている。而してストップピン３５の一端はボール３１に当接して、圧縮ばね３０によりボール３１を介しスリーブ１１側へ押圧されるようになっており、ストップピン３５の他端はスリーブ１１の側部に当接してスリーブ１１の径方向に対する位置決めを行い得るようになっている。又、ストップピン３５のプランジャ本体３２側には、径の大きい頭部３５ａが設けられ、頭部３５ａがストップピン嵌入孔３４の段部３４ａに当接することにより、ストップピン３５は所定の寸法以上はスリーブ１１側へ突出しないようになっている。
【００３１】
次に、上記図示例においてスリーブ１１をスリーブホルダ６にセットする場合の手順について説明する。
【００３２】
スリーブ１１をスリーブホルダ６にセットするに際しては、予めスリーブ１１に従来の場合と同様にして光ファイバ２１を装着しておく。而して作業員は、光ファイバ２１をセットしたスリーブ１１を手に持つと共にレバー１７を操作してレーザ光伝送方向Ｄ前方側をスリーブホルダ６側へ押す。このため、レバー１７は、圧縮ばね２０の抗力に打ち勝って、縦ピン１６を基準として図４において反時計方向へ回動し、係止部材１８の先端はスリーブホルダ６のスリーブ取り付け孔６ａから離反した状態となる。
【００３３】
そこで作業員はスリーブ１１の外周に形成されている平面部を水平ピン１０に対し平行にしてスリーブ１１が円周方向へ回動しないよう円周方向の位置決めをしたうえ、スリーブ１１をスリーブホルダ６のレーザ光伝送方向Ｄ前方側から、スリーブ１１のレーザ光伝送方向Ｄ後方側端部がスリーブ押えフランジ１３の端面に対し当接するまでスリーブ取り付け孔６ａに挿入する。従って、スリーブ１１は、円周方向へ回動せず且つその平面部が水平ピン１０の外周に対向して水平ピン１０により案内されつつ挿入される。この際、ストップピン３５のスリーブ１１側先端部はスリーブ１１に当接するが、ストップピン３５のスリーブ１１側先端部には面取りが施してあるため、ストップピン３５はスリーブ１１の外周部に押圧され圧縮ばね３０の抗力に打ち勝ちストップピン嵌入孔３４内をプランジャ本体３２側へ僅かに移動する。従って、スリーブ１１はスリーブホルダ６のスリーブ取り付け孔６ａに円滑に挿入される。
【００３４】
又、スリーブ１１をスリーブホルダ６のスリーブ取り付け孔６ａに挿入する前は、リミットスイッチ２３，２６は図８に示すように何れもオフになっている。しかるに、スリーブ１１をスリーブ取り付け孔６ａに挿入するために上述のようにレバー１７を図４の反時計方向へ回動させると、レバー１７に取り付けてあるストライカ２４がリミットスイッチ２３を作動させてオンにし、スリーブ１１がスリーブホルダ６のスリーブ取り付け孔６ａに挿入を開始されたことが分かる。
【００３５】
更に、スリーブ１１がスリーブ取り付け孔６ａに挿入されて、スリーブ１１のレーザ光伝送方向Ｄ後方側端部がリミットスイッチ２６を作動させてオンにする。このため、スリーブ１１のレーザ光伝送方向Ｄ後方側端部がスリーブ取り付け孔６ａに対し所定位置まで挿入されてスリーブ押えフランジ１３に当接したことが分かる。この場合には、図８に示すように何れのリミットスイッチ２３，２６もオンになっている。
【００３６】
スリーブ１１のレーザ光伝送方向Ｄ後方側端部がスリーブ押えフランジ１３の端面に対し当接したら、作業員はレバー１７から手を離す。そうすると、レバー１７は圧縮ばね２０の付勢力により、縦ピン１６を支点として図４において時計方向へ回動し、係止部材１８のレーザ光伝送方向Ｄ後方側先端部はスリーブ１１の溝１１ｆにおけるスリーブ段部１１ｇに係合する。このため、スリーブ１１はスリーブ押えフランジ１３と係止部材１８とによりその軸心方向位置を位置決めされる。
【００３７】
又、ストップピン３５が圧縮ばね３０の付勢力によりスリーブ１１側へ押圧されるため、ストップピン３５の先端はスリーブ１１を径方向へ押圧され、スリーブ１１の径方向位置はスリーブ取り付け孔６ａに対しストップピン３５により位置決めされる。
【００３８】
更に、レバー１７に設けてあるストライカ２４は、レバー１７の図４における時計方向への回動により、リミットスイッチ２３から離反し、このため、リミットスイッチ２３はオフになる。しかし、スリーブ１１はリミットスイッチ２６をオンにした状態を継続しているため、リミットスイッチ２３がオフになり、リミットスイッチ２６がオンになっていることを確認すれば、スリーブ１１はスリーブ取り付け孔６ａに対し所定の状態に挿入されていることになり、スリーブ１１のスリーブホルダ６に対するセットは終了する。
【００３９】
上述のように、光ファイバ２１が装着されたスリーブ１１は、スリーブホルダ６に対する軸心方向位置をスリーブ押えフランジ１３と係止部材１８とにより位置決めされ、スリーブホルダ６におけるスリーブ１１径方向位置をストップピン３５とスリーブ取り付け孔６ａ内周により位置決めされるため、スリーブ１１延いては光ファイバ２１の位置決めを正確に行うことができる。このため、光ファイバ２１よるレーザ光の伝送を良好に行うことができる共に、光ファイバ２１のレーザ光が導入される端部に熱による損傷が生じることがなく、しかも光ファイバ２１の交換のためにスリーブ１１を脱着するような場合にも、スリーブ１１が所定の位置に挿入されたことを正確に検出できるため、スリーブ１１の挿入状態にばらつきが生じず、高い信頼性を得ることができる。
【００４０】
尚、本発明のファイバ保持装置は、上述の図示例にのみ限定されるものではなく、本発明の要旨を逸脱しない範囲内において種々変更を加え得ることは勿論である。
【００４１】
【発明の効果】
以上、説明したように本発明の請求項１及び２に記載のファイバ保持装置によれば、光ファイバによるレーザ光の伝送を良好に行うことができると共に、光ファイバのレーザ光が導入される端部に熱による損傷が生じることがなく、しかも光ファイバの交換のためにスリーブを脱着するような場合にも、更にスリーブが所定の位置に挿入されたことを正確に検出できるため、スリーブの挿入状態にばらつきが生じず、高い信頼性を得ることができる、という優れた効果を奏し得る。
【図面の簡単な説明】
【図１】本発明のファイバ保持装置の実施の形態の一例を示す側面図である。
【図２】図１のＩＩ−ＩＩ方向矢視図である。
【図３】図１のＩＩＩ−ＩＩＩ方向矢視図である。
【図４】図１のＩＶ−ＩＶ方向矢視図である
【図５】図２のＶ−Ｖ方向矢視図である。
【図６】図４のＶＩ−ＶＩ方向矢視図である。
【図７】図５のＶＩＩ部拡大図である。
【図８】本発明のファイバ保持装置に用いるリミットスイッチの作動状況を示すグラフである。
【図９】従来のファイバ保持装置の縦断面図である。
【図１０】図９のＸ−Ｘ方向矢視図である。
【符号の説明】
１      ファイバ保持装置
６      スリーブホルダ
６ａ    スリーブ取り付け孔
６ｂ    孔
１０    水平ピン
１１    スリーブ
１１ａ 中空孔
１１ｂ 中空孔
１１ｃ 中空孔
１１ｄ 中空孔
１１ｅ 中空孔
１１ｆ  溝
１１ｇ  スリーブ段部
１３    スリーブ押えフランジ
１７    レバー
１８    係止部材
２０    圧縮ばね（第一の弾撥体）
２１    光ファイバ
２３    リミットスイッチ（第一のセンサ）
２６    リミットスイッチ（第二のセンサ）
３０    圧縮ばね（第二の弾撥体）
３５ ストップピン
Ｄ    レーザ光伝送方向
【図１】
0004250821.tif 000002
【図２】
0004250821.tif 000003
【図３】
0004250821.tif 000004
【図４】
0004250821.tif 000005
【図５】
0004250821.tif 000006
【図６】
0004250821.tif 000007
【図７】
0004250821.tif 000008
【図８】
0004250821.tif 000009
【図９】
0004250821.tif 000010
【図１０】
0004250821.tif 000011